(57)【特許請求の範囲】
【請求項１】
電子機器ユニットを収容する内装ケースと前記内装ケースを引出し可能に収容する外装ケースとを有し、前記外装ケースに対し前記内装ケースを引出し可能とする軟質材製の板状取っ手を前記内装ケースの前面部に設けて電子機器収容筺体を構成し、
前記板状取っ手を取付けるために、前記内装ケースの前面部に一対の内装ケース側タップを互いに左右方向に離間させた状態で設置すると共に、前記外装ケースの前面部に前記内装ケース側タップに対して前記外装ケースの背面部側に対向するように一対の外装ケース側タップを設置し、
且つ、前記内装ケース側タップおよび前記外装ケース側タップにそれぞれネジ孔を形成し、前記両ネジ孔のうち内装ケース側タップのネジ孔の終端部と前記外装ケース側タップのネジ孔の始端部とを一定の距離互いに離間させ、
更に、前記両ネジ孔に前記板状取っ手の両端部に形成したビス孔に挿通させたビスを螺合することにより、前記軟質材製の板状取っ手を前記内装ケースの前面部に装着し、
前記ビスは、頭部と前記頭部に一体に連設形成されたネジ棒部とで構成し、前記ネジ棒部が、その先端側にネジ部を残した状態で前記頭部側にネジ無し縮小径部を形成しており、
前記外装ケース側タップのネジ孔と前記ネジ棒部のネジ部との螺合状態を外すことによって、前記板状取っ手における前記内装ケースの前面部との空間距離を拡大できるように構成したことを特徴とする電子機器収容筺体装置。
【請求項２】
前記板状取っ手に設けた前記ビス孔を、前記内装ケースの前面部における左右方向に延在する長孔形状に形成したことを特徴とする請求項１記載の電子機器収容筺体装置。
【請求項３】
前記内装ケースの天面部及び底面部の各外壁に夫々一対の内装ケース側レールを設けると共に、前記外装ケースの天面部及び底面部の各内壁に夫々外装側レールを設けて、前記外装ケース側レールに前記内装ケース側レールを摺動可能に嵌合させることによって、前記外装ケースに対して前記内装ケースを出入り可能に構成しており、
更に、前記内装ケース側レールに前記内装ケース側タップを形成すると共に、前記外装ケース側レールに前記外装ケース側タップを形成したことを特徴とする請求項１又は請求項２記載の電子機器収容筺体装置。
【発明の詳細な説明】
【０００１】
【発明の属する技術分野】
本発明は、電子機器ユニットを収容する内装ケースと内装ケースを引出し可能に収容する外装ケースとにより構成する電子機器収容筺体装置に関する。
【０００２】
【従来の技術】
従来のこの種の電子機器収容筺体装置は、図１１に記載されているものが知られている(類似技術として、特許第2761444号公報、特許第2518853号公報に記載されたものがある)。
【０００３】
これによれば、図１１に示すように、電子機器ユニット(不図示)を収容する内装ケースａと内装ケースａを引出し可能に収容する外装ケースｂとで構成している。
【０００４】
外装ケースｂは、前面部ｃが開口した箱状を呈して構成しており、左右側面部ｄ，ｄには、上下方向に延在する外装ケース側Ｌ金具ｅが夫々前面部ｃ側に偏在して取付けられている。外側ケース側Ｌ金具ｅの略中央部に切欠きｆを形成して、切欠きｆに対向する位置において、左右側面部ｄ，ｄには、板状の外装ケース側レールｉが夫々設けてある。
【０００５】
内装ケースａは、背面部ｇ側が開口した箱状を呈して構成しており、左右側面部ｈには、上下方向に延在する内装ケース側Ｌ金具ｊが夫々取付けられていると共に、内装ケース側Ｌ金具ｊの略中央部に位置するように、板状の内装ケース側レールｋが夫々設けてある。
【０００６】
更に、内装ケースａの前面部ｑにおける上下端部には、例えば棒材をコ字状に形成した取っ手ｍが夫々装着されている。
【０００７】
そして、内装ケースａを外装ケースｂに収容するには、先ず両取っ手ｍを用いて内装ケースａを移動させてその背面部側から外装ケースｂの開口した前面部ｃに挿入することによって行う。この時、内装ケース側レールｋが切欠き部ｆを挿通した後外装ケース側レールｉ上を摺動しながら、外装ケースｂ内に内装ケースａを案内誘導し、収容することになる。
【０００８】
外装ケースｂ内に内装ケースａを収容した場合、内装ケース側金具ｊの鍔部ｎが外装ケース側金具ｉの鍔部ｏに重合することになるので、両鍔部ｎ，ｏを複数のビスｐを用いて螺着することによって、外装ケースｂに対して収容された内装ケースａを固定する。
【０００９】
【発明が解決しようとする課題】
上記のように構成する従来の電子機器収容筺体装置においては、内装ケースａが外装ケースｂに収容固定された状態では、取っ手ｍが常に内装ケースａの前面部ｑと共に外装ケースｂの前面部ｃより張り出すことになって、この結果、取っ手ｍが占有する容積分、筺体全体構造の小型化を実現することができなかった。
【００１０】
そこで、本発明はかかる点に鑑み案出されたもので、取っ手における内外装ケースの前面部から張り出す部分を最小限に留めることによって、筺体全体構造の小型化を実現した電子機器用筺体装置を提供することを目的としている。
【００１１】
【課題を解決するための手段】
本発明は上記目的を達成するために、電子機器ユニットを収容する内装ケースと内装ケースを引出し可能に収容する外装ケースとを有し、外装ケースに対し内装ケースを引出し可能とする軟質材製の板状取っ手を内装ケースの前面部に設けて電子機器収容筺体を構成し、板状取っ手を取付けるために、内装ケースの前面部に一対の内装ケース側タップを互いに左右方向に離間させた状態で設置すると共に、外装ケースの前面部に内装ケース側タップに対して外装ケースの背面部側に対向するように一対の外装ケース側タップを設置し、且つ、内装ケース側タップおよび外装ケース側タップにそれぞれネジ孔を形成し、両ネジ孔のうち内装ケース側タップのネジ孔の終端部と外装ケース側タップのネジ孔の始端部とを一定の距離互いに離間させ、更に、両ネジ孔に板状取っ手の両端部に形成したビス孔に挿通させたビスを螺合することにより、軟質材製の板状取っ手を内装ケースの前面部に装着し、ビスは、頭部と頭部に一体に連設形成されたネジ棒部とで構成し、ネジ棒部が、その先端側にネジ部を残した状態で前記頭部側にネジ無し縮小径部を形成しており、外装ケース側タップのネジ孔とネジ棒部のネジ部との螺合状態を外すことによって、板状取っ手における内装ケースの前面部との空間距離を拡大できるように構成している。
【００１２】
上記のように構成する本発明によれば、ビスのネジ棒部における先端側のネジ部が外装ケース側タップに螺合した状態では、板状取っ手を内装ケースの前面部に近接し、しかも薄板により構成することができる結果、内装ケースは、その前面部に板状取っ手がほとんど張り出すことがなく、外装ケース側に収容設置されることになり、電子機器筺体の全体構造の小型化を図ることができる。
【００１３】
また、板状取っ手を装着するビスは、板状取っ手を内外装ケースに装着する際に内装ケースを外装ケースに共締めする結果、内装ケースを外装ケースに固定する内装ケース取付け用ビスを兼用することができる。
【００１４】
そして、外装ケースに一旦収容固定した内装ケースを電子機器ユニットのメンテナンス等で外装ケースより取り出す場合、板状取っ手を装着するビスのネジ部を外装ケース側タップより外して行うことになる。
【００１５】
すなわち、ビスは、そのネジ部が外装ケース側タップより外された場合、ネジ部と頭部との間にネジ無し縮小径部が形成されていることから、ネジ部を内装ケース側タップ側に移動させて、頭部側を内装ケースの前面部から突出させることができることになる。
【００１６】
この結果、板状取っ手を内装ケースの前面部から離間する方向に引くことによって、板状取っ手と内装ケースの前面部との空間距離を拡大することができ、板状取っ手と内装ケースの前面部との間に手を入れることが可能となって、板状取っ手を持って、内装ケースを外装ケースより容易に引出すことができる。
【００１７】
また、本発明は、板状取っ手に設けたビス孔を内装ケースの前面部における左右方向に延在する長孔形状に形成して構成していることから、外装ケースから内装ケースを引出すべく、板状取っ手を内装ケースの前面部から離間する方向に引いた場合に、ビスのネジ無し縮小径部が板状取っ手の外側壁部にまで移動させることができるので、板状取っ手と内装ケースの前面部との空間距離をより大きく形成することができる。
【００１８】
また本発明は、内装ケースの天面部及び底面部の各外壁に夫々一対の内装ケース側レールを設けると共に、外装ケースの天面部及び底面部の各内壁に夫々外装側レールを設けて、外装ケース側レールに内装ケース側レールを摺動可能に嵌合させることによって、外装ケースに対して前記内装ケースを出入り可能に構成しており、更に、内装ケース側レールに内装ケース側タップを形成すると共に、外装ケース側レールに外装ケース側タップを形成して構成していることから、外装ケース側レールや内装ケース側レールを部分的にプレス機等により切り起こすことによって、内外装両ケース側タップを一体に形成することができ、内外装両ケースに別体の内外両装側タップを設ける必要がない。また、外装ケース側レールに内装ケース側レールを嵌合することによって、内装ケースを外装ケースに収容した際に、板状取っ手を取付けるためのビスを利用して、内装ケースを外装ケース側に固定することができ、内装ケースを外装ケースに固定する内装ケース取付け用ビスを兼用することができる。
【００１９】
【発明の実施の形態】
以下、本発明における第１の実施の形態について、図１乃至図７を用いて説明する。
【００２０】
図１は、本発明における第１の実施の形態を採用した電子機器収容筺体装置の斜視図、図２は同じく分解斜視図、図３は図２におけるＡ円内を拡大して描画した一部切欠き斜視図、図４は図２におけるＢ円内を拡大して描画した斜視図である。図５は図１における電子機器収容筺体装置の作動を説明する要部断面図で、(１)が内装ケース側に取付ける板状取っ手のビスを外装ケース側タップに螺合した状態を示しており、(２)は板状取っ手の取付け用のビスにおける外装ケース側タップとの螺合を外した状態を示している。図６は図１における取っ手の斜視図、図７は同じく板状取っ手の取付け用のビスの斜視図である。
【００２１】
図１において、第１の実施の形態における電子機器収容筺体構造は、電子機器ユニット(不図示)を収容する内装ケース１と内装ケース１を引出し可能に収容する外装ケース２とで構成している。
【００２２】
外装ケース２は、前面部２ａが開口した箱状を呈して構成しており、天面部２ｂ及び底面部２ｃの内面側には、それぞれ互いに離間した状態で、コ字状に形成された外装ケース側レール３，３が装着されている。
【００２３】
内装ケース１は、背面部１ｄ側が開口した箱状を呈して構成しており、天面部１ａ及び底面部１ｂには、それぞれ互いに離間した状態で、Ｌ字状に形成された内装ケース側レール４，４がその開口側を上向きにした状態で装着されている。
【００２４】
従って、図２に示す状態から、内装ケース側４，４に外装ケース側レール３，３を嵌合摺動させながら、内装ケース１を外装ケース２内に挿入することによって、内装ケース１を外装ケース２に収納することになる(図１に示す状態)。
【００２５】
また、内装ケース側レール４，４における内装ケース１の前面部２ａ側先端部には、図４に詳細に示すように、プレス機等で切り起こし形成された内装ケース側タップ５が夫々形成されており、内装ケース側タップ５は、内装ケース１の前面部２ａ側方向に、内装ケース側ネジ孔５ａが形成されている。
【００２６】
そして、内装ケース側タップ５は、内装ケース１の前面部１ａより背面部１ｄ側に引っ込んだ位置に形成されている。
【００２７】
また、内装ケース１の前面部１ａの上下端部略中央において、それぞれＬ字状の起立片部１ｅが形成されている。
【００２８】
外装ケース側レール３，３は、角柱状を呈しており、図３に詳細に示すように外装ケース２の前面部２ａ側先端部に上下面が開口するコ字状の切欠き部３ａを形成することにより段部を形成して外装ケース側タップ６を構成している。外装ケース側タップ６には、外装ケース２の背面部２ｄ側に延在する外装ケース側ネジ孔６ａが形成されている。
【００２９】
そして、外装ケース側ネジ孔６ａの始端部は、切欠き部３の存在により外装ケース２の背面部２ｄ側に後退することになって、内装ケース側ネジ孔５ａの終端部に対して一定の距離互いに離間していることになる。
【００３０】
また、外装ケース２の天面部２ｂの略中央部には、コ字状の凸形状部２ｅが形成されており、凸形状部２ｅは少なくとも内装ケース２の前面部２ａ側が開口して、内装ケース１側の起立片部１ａを挿入するように構成されている。
【００３１】
外装ケース２に収容された内装ケース１を外部ケース２から引出すための板状取っ手７は、特に図６に示すように、塩化ビニール等の軟質材で形成する薄板から構成しており、その両端に夫々円形状のビス孔８が穿設されている。
【００３２】
そして、板状取っ手７は、ビス孔８に挿通させたビス９を内装ケース側ネジ孔５ａ及び外装ケース側タップ６ａに螺合することにより、内装ケース１の前面部２ａの上下両端部に夫々装着されている。
【００３３】
内装ケース１の前面部２ａの上端部側に装着された板状取っ手７は、その中央部が起立片部１ａの前面側に添設されて、両端部が内装ケース１の前面部１ａより背面部１ｄ側に引っ込んだ状態に位置している。
【００３４】
そして、ビス９は、図７に示すように、頭部９ａと頭部９ａに一体に連設形成されたネジ棒部９ｂとで構成し、ネジ棒部９ｂは、その先端側にネジ部９ｃを残した状態で頭部９ａ側にネジ無し縮小径部９ｄが形成されて構成している。
【００３５】
従って、ビス９は、図５(１)に示すように、板状取っ手７が凸形状部２ｅに添設された状態では、ネジ部９ｃが外装ケース側ネジ孔６ａに螺合して、板状取っ手７の両端部を内装ケース側タップ５に密着させている。
【００３６】
この結果、板状取っ手７は、内装ケース１の前面部１ａからほとんど張り出すことがなく、外装ケース１側に収容設置されることになり、電子機器筺体の全体構造の小型化を図ることができる。
【００３７】
そして、この時内装ケース側タップ５の背面部側と外装ケース側タップ６の前面部側とがビス９によってやはり密着していることから、ビス９は外装ケース２に対する内装ケース１の収納状態を固定的に保持している。
【００３８】
従って、ビス９は外装ケース２と外装ケース２に収納された内装ケース１とを共締めする結果となり、従来別個のものとして内装ケース１を外装ケース２に固定する内装ケース取付け用ビスを兼用することができる。
【００３９】
更に、外装ケース２に一旦収容固定した内装ケース１を電子機器ユニットのメンテナンス等で外装ケース２より取り出す場合、板状取っ手７を装着するビスのネジ部９ｃを外装ケース側ネジ孔６ａのより外して行うことになる。
【００４０】
すなわち、ビス９は、そのネジ部９ｃが外装ケース側ネジ孔６ａより外された場合、ネジ部９ｃと頭部９ａとの間にネジ無し縮小径部９ｄが形成されていることから、ネジ部９ｃを内装ケース側タップ５側に移動させて、頭部９ａ側を内装ケース１の前面部１ａから突出させることができることになる(図５(２)参照)。
【００４１】
この結果、板状取っ手７を内装ケース１の前面部１ａから離間する方向に引くことによって、板状取っ手７と内装ケース１の前面部１ａ、特に凸形状部２ｅとの空間距離を拡大することができ、板状取っ手７と内装ケース１の前面部１ａとの間に手を入れることが可能となって、板状取っ手７を持って、内装ケース１を外装ケース２より容易に引出すことができる。
【００４２】
なお、図１に示す内装ケース１が外装ケース２に収容された状態では、ビス９により外装ケース２に対して内装ケース１を固定している。
【００４３】
図８は本発明の第２の実施の形態による電子機器収容筺体構造の作動を説明する要部断面図で、(１)は内装ケース側に取付ける板状取っ手のビスを外装ケース側タップに螺合した状態を示しており、(２)は板状取っ手の取付け用のビスにおける外装ケース側タップとの螺合を外した状態を示している。
【００４４】
図８によれば、ビス９におけるネジ棒部９ｂの軸方向長さを、上記第１の実施の形態のビス９より長く形成したもので、ネジ部９ｃの長さは第１の実施の形態とほぼ同様であるが、ネジ無し縮小径部９ｄの長さが長く構成されている。
【００４５】
従って、図８(１)に示すように、板状取っ手７が凸形状部２ｅに添設された状態では、ネジ部９ｃが外装ケース側ネジ孔６ａに螺合して、板状取っ手７の両端部を内装ケース側タップ５に密着させている。
【００４６】
これに対して、図８(２)示すように、ビス９のネジ部９ｃが外装ケース側ネジ孔６ａより外された場合、ネジ部９ｃと頭部９ａとの間に軸方向に長く形成されているネジ無し縮小径部９ｄがネジ部９ｃを内装ケース側タップ５側に移動して、頭部９ａ側を、第１の実施の形態に比して、大きく内装ケース１の前面部１ａから突出させることができることになる。
【００４７】
この結果、板状取っ手７を内装ケース１の前面部１ａから離間する方向に引いた場合、板状取っ手７と内装ケース１の前面部１ａ、特に凸形状部２ｅとの空間距離を大きく拡大することができ、板状取っ手７と内装ケース１の前面部１ａとの間に手をなお一層入れやすくなって、板状取っ手７を持って、内装ケース１を外装ケース２より更に容易に引出すことができる。
【００４８】
図９及び図１０は本発明における第３の実施の形態を示すもので、図９は板状取っ手の斜視図、図１０は本発明の第３の実施の形態による電子機器収容筺体構造の作動を説明する要部断面図で、(１)は内装ケース側に取付ける板状取っ手のビスを外装ケース側タップに螺合した状態を示しており、(２)は板状取っ手の取付け用のビスにおける外装ケース側タップとの螺合を外した状態を示している。
【００４９】
図９によれば、板状取っ手７の両端部に形成したビス孔８は、内装ケース１の前面部１ａにおける左右方向に延在する長孔形状に形成して構成している。
【００５０】
この結果、図１０(１)に示すように、ビス９のネジ部９ｃが外装ケース側ネジ孔６ａに螺合して内装ケース１を外装ケース２内に収容固定した状態では、第１の実施の形態と同様に、板状取っ手７の両端部が内装ケース側タップ５に密着して、板状取っ手７が内装ケース１の前面部１ａからほとんど張り出すことがなく、外装ケース１側に収容設置されることになり、電子機器筺体の全体構造の小型化を図ることができる。
【００５１】
この状態より、外装ケース２から内装ケース１を引出すべく、ビス９のネジ部９ｃを外装ケース側ネジ孔６ａより外して、板状取っ手７を内装ケース１の前面部１ａから離間する方向に引いた場合、板状取っ手７のビス孔８を長孔に形成しているために、板状取っ手７は弓状に変形して、内装ケース１の前面部１ａ、特に凸形状部２ｅとの空間距離をより多く拡大することができ、板状取っ手７と内装ケース１の前面部１ａとの間に手を入れることが容易となって、板状取っ手７を持って、内装ケース１を外装ケース２より非常に容易に引出すことができる。
【００５２】
なお、上記実施の形態では、外装ケース側レール３を角柱状に形成したが、これに限定されるものでなく、内装ケース側レール５と同様に、Ｌ字状を呈するチャンネル材で構成してもよく、この場合、外装ケース側タップ６は外装ケース側レール３の一部を切り起こして形成することになる。この場合には、上記実施の形態のような切欠き部３ａを設ける必要がなくなる。
【００５３】
また、上記実施の形態においては、内装ケース側タップ５及び外装ケース側タップ６は、夫々内装ケース側レール４及び外装ケース側レール３に一体に形成したが、これに限定されるものでなく、内装ケース側レール４或いは外装ケース側レール３とは別体に構成し、内装ケース１或いは外装ケース２に取着するようにしてもよい。
【００５４】
【発明の効果】
以上説明したように、本発明による電子機器収容筺体構造は、ビスのネジ棒部における先端側のネジ部が外装ケース側タップに螺合した状態では、板状取っ手を内装ケースの前面部に近接しているように構成できる結果、内装ケースが、その前面部に板状取っ手がほとんど張り出すことがなく、外装ケース側に収容設置されることになり、電子機器筺体の全体構造の小型化を図ることができる。
【００５５】
また、板状取っ手を装着するビスは、板状取っ手を内外装ケースに装着する際に内装ケースを外装ケースに共締めする結果、内装ケースを外装ケースに固定する内装ケース取付け用ビスを兼用することができる。
【００５６】
そして、外装ケースに一旦収容固定した内装ケースを電子機器ユニットのメンテナンス等で外装ケースより取り出す場合、板状取っ手を装着するビスのネジ部を外装ケース側タップより外して行うことになる。
【００５７】
すなわち、ビスは、そのネジ部が外装ケース側タップより外された場合、ネジ部と頭部との間にネジ無し縮小径部が形成されていることから、ネジ部を内装ケース側タップ側に移動させて、頭部側を内装ケースの前面部から突出させることができることになる。
【００５８】
この結果、板状取っ手を内装ケースの前面部から離間する方向に引くことによって、板状取っ手と内装ケースの前面部との空間距離を拡大することができ、板状取っ手と内装ケースの前面部との間に手を入れることが可能となって、板状取っ手を持って、内装ケースを外装ケースより容易に引出すことができる。
【図面の簡単な説明】
【図１】本発明における第１の実施の形態を採用した電子機器収容筺体装置の斜視図
【図２】同じく第１の実施の形態を採用した電子機器収容筺体装置の分解斜視図
【図３】図２におけるＡ円内を拡大して描画した一部切欠き斜視図
【図４】図２におけるＢ円内を拡大して描画した斜視図
【図５】図１における電子機器収容筺体装置の作動を説明する要部断面図で、(１)は内装ケース側に取付ける板状取っ手のビスを外装ケース側タップに螺合した状態を示しており、(２)は板状取っ手の取付け用のビスにおける外装ケース側タップとの螺合を外した状態を示している。
【図６】図１における取っ手の斜視図
【図７】同じく板状取っ手の取付け用のビスの斜視図
【図８】本発明に係る第２の実施の形態における電子機器収容筺体装置の作動を説明する要部断面図で、(１)は内装ケース側に取付ける板状取っ手のビスを外装ケース側タップに螺合した状態を示しており、(２)は板状取っ手の取付け用のビスにおける外装ケース側タップとの螺合を外した状態を示している。
【図９】本発明に係る第３の実施の形態における電子機器収容筺体装置に使用する取っ手の斜視図
【図１０】同じく、本発明に係る第３の実施の形態における電子機器収容筺体装置の作動を説明する要部断面図で、(１)は内装ケース側に取付ける板状取っ手のビスを外装ケース側タップに螺合した状態を示しており、(２)は板状取っ手の取付け用のビスにおける外装ケース側タップとの螺合を外した状態を示している。
【図１１】従来における電子機器収容筺体装置の分解斜視図
【符号の説明】
１    内装ケース
１ａ  前面部
１ｂ  天面部
１ｃ  底面部
１ｄ  背面部
２    外装ケース
２ａ  前面部
２ｂ  天面部
２ｃ  底面部
２ｄ  背面部
３    外装ケース側レール
４    内装ケース側レール
５    内装ケース側タップ
５ａ  内装ケース側ネジ孔
６    外装ケース側タップ
６ａ  外装ケース側ネジ孔
７    板状取っ手
８    ビス孔
９    ビス
９ａ  頭部
９ｂ  ネジ棒部
９ｃ  ネジ部
９ｄ  ネジ無し縮小径部
【図１】
0003794473.tif 000002
【図２】
0003794473.tif 000003
【図３】
0003794473.tif 000004
【図４】
0003794473.tif 000005
【図５】
0003794473.tif 000006
【図６】
0003794473.tif 000007
【図７】
0003794473.tif 000008
【図８】
0003794473.tif 000009
【図９】
0003794473.tif 000010
【図１０】
0003794473.tif 000011
【図１１】
0003794473.tif 000012